(57)【特許請求の範囲】
【請求項１】
リール本体の側板間にスプール軸を介してスプールを回転自在に支持し、前記スプールを釣糸巻取り状態と釣糸放出状態に選択的に切換可能なクラッチ機構と、
前記スプール軸に支持体を介して支持された導電体と、
前記リール本体に設けられ、前記導電体に磁力を作用させることにより前記スプールの回転を制動する磁石と、
前記スプールの回転速度の増減に応じて該スプールの軸方向に移動可能であると共に、前記磁石が前記導電体に作用する磁力を増減させて前記スプールの回転速度を制御するスプール回転速度制御手段とを備えた魚釣用両軸受型リールにおいて、
前記スプール回転速度制御手段を前記スプールの軸方向へ移動可能にする移動可能状態と移動不能状態に切換える切換え機構を、前記支持体のスプール側端面からフレーム側に向けて軸方向に沿って形成された長溝と、前記長溝に隣接して形成された短溝と、前記スプール軸に突出形成されたピンと、前記支持体を前記スプール側へ付勢する付勢部材とで構成し、前記支持体を前記付勢部材の付勢力に抗して軸方向に移動しながら回動して、前記長溝又は短溝と前記ピンとを選択的に係合させることで、前記切換え機構を切換可能としたことを特徴とする魚釣用両軸受型リール。
【発明の詳細な説明】
【０００１】
【発明の属する技術分野】
本発明は、釣糸放出時（キャスティング時）における糸絡み現象（バックラッシュ現象）の防止を図った魚釣用両軸受型リールに関する。
【０００２】
【従来の技術】
従来から、魚釣用両軸受型リールには、釣糸放出時におけるスプールの過回転を防止するために、各種のバックラッシュ防止機構が設けられている。一般的なものとしては、遠心力を利用した摩擦ブレーキ装置や、磁力を利用した磁気ブレーキ装置が知られている。
【０００３】
上記摩擦ブレーキ装置は、二次的に摩擦制動力が変化する特性上、スプールの回転速度に対して急激に制動力が変化するため、キャスティング初期の摩擦制動力が急激に増加して仕掛けの飛距離が低下したり、キャスティング終期の摩擦制動力の急激な低下によって過剰に釣糸が放出されてバックラッシュ現象が生じ易い等の課題がある。また、上記磁気ブレーキ装置は、スプールの回転速度に略比例して制動力が発生する特性上、摩擦ブレーキよりもバックラッシュ現象が発生しにくいが、キャスティング終期のスプール回転速度が低下してきたときに、仕掛けの飛距離の伸びが得られず、また、ショートキャスティング性能が劣る等の課題がある。
【０００４】
そこで、これらの課題が解決されるように、特開平１０−２６２５１９号には、磁気ブレーキ装置において、キャスティング初期及び終期で生じる仕掛けの飛距離の低下を防止するために、スプールの回転速度に応じて、磁石と導電体の相互間の距離を変化させると共に、磁石と導電体の最接近距離を調整可能とする技術が開示されている。
【０００５】
この磁気ブレーキ装置によれば、キャスティング初期及び終期における磁気ブレーキ作用によって生じるスプール回転制動力が抑制されるため、仕掛けの飛距離の向上が図れるようになり、加えてバックラッシュ現象も防止することができるようになる。
【０００６】
【発明が解決しようとする課題】
しかし、上記公報に開示されている技術は、キャスティング初期及び終期におけるスプール回転制動力を抑制する構造であるため、仕掛けの飛距離を出しにくい環境下（例えば向かい風が強い状況下等）でフルキャストした場合、過剰に釣糸が放出されてバックラッシュ現象が発生し易い。また、仕掛けの飛距離を重視しない初心者に対しては、サミング操作が不慣れなことから、キャスティング初期及び終期に、ある程度のスプール回転制動力を持たせておかなければバックラッシュ現象が発生し易くなってしまう。
【０００７】
本発明は、上記した問題に基づいてなされたものであり、釣り場の状況や、使用者の要求に応じて、最適なスプール回転速度制御設定が行なえるバックラッシュ防止機構を有する魚釣用両軸受型リールを提供することを目的とする。
【０００８】
【課題を解決するための手段】
このような目的を達成するために、本発明の魚釣用両軸受型リールは、リール本体の側板間にスプール軸を介してスプールを回転自在に支持し、前記スプールを釣糸巻取り状態と釣糸放出状態に選択的に切換可能なクラッチ機構と、前記スプール軸に支持体を介して支持された導電体と、前記リール本体に設けられ、前記導電体に磁力を作用させることにより前記スプールの回転を制動する磁石と、前記スプールの回転速度の増減に応じて該スプールの軸方向に移動可能であると共に、前記磁石が前記導電体に作用する磁力を増減させて前記スプールの回転速度を制御するスプール回転速度制御手段とを備えており、前記スプール回転速度制御手段を前記スプールの軸方向へ移動可能にする移動可能状態と移動不能状態に切換える切換え機構を、前記支持体のスプール側端面からフレーム側に向けて軸方向に沿って形成された長溝と、前記長溝に隣接して形成された短溝と、前記スプール軸に突出形成されたピンと、前記支持体を前記スプール側へ付勢する付勢部材とで構成し、前記支持体を前記付勢部材の付勢力に抗して軸方向に移動しながら回動して、前記長溝又は短溝と前記ピンとを選択的に係合させることで、前記切換え機構を切換可能としたことを特徴としている。
【０００９】
上記構成によれば、釣り場や使用者の要求に応じて切換え機構を操作することで、キャスティング初期及び終期にスプールに制動力が作用しない状態と、常時スプールに制動力が作用する状態とに切換えられる。
【００１０】
【発明の実施の形態】
以下、本発明の実施の形態に係る魚釣用両軸受型リールについて、添付図面を参照して説明する。まず、図１を参照して、本発明に係る魚釣用両軸受型リールの一構成例について説明する。
【００１１】
図１に示すように、魚釣用両軸受型リール１は、左右のフレーム２ａ，２ｂに夫々装着された左右側板３ａ，３ｂを備えたリール本体４を有している。前記左右フレーム２ａ，２ｂ（左右側板３ａ，３ｂ）間には、スプール軸６が軸受を介して回転可能に支持されており、スプール軸６には、釣糸が巻回されるスプール６ａが取り付けられている。
【００１２】
スプール６ａは、左側板３ａから突出するハンドル軸１０の端部に取り付けられたハンドル１０ａを回転操作することによって回転するよう構成されている。なお、前記ハンドル軸１０は、左フレーム２ａと左側板３ａとの間に軸受を介して回転自在に支持されていると共に、一方向クラッチ１２によって釣糸巻取方向にのみ回転可能に構成されている。
【００１３】
左フレーム２ａと左側板３ａとの間には、ハンドル１０ａの回転運動をスプール軸６に伝達する駆動力伝達機構２０が配設されている。駆動力伝達機構２０はハンドル軸１０に回転可能に取り付けられた駆動歯車２１と、この駆動歯車２１に噛合すると共に、軸受を介して左フレーム２ａと左側板３ａとの間に回転自在に支持されたピニオン２２とを備えている。
【００１４】
ピニオン２２の外周には、円周溝２２ａが形成されており、この円周溝２２ａには、クラッチ機構を構成するクラッチ操作部材（図示しない）によって軸方向に移動可能なクラッチプレートが係合している。この場合、クラッチ操作部材を操作してピニオン２２を軸方向に移動させることによって、図１に示すような駆動力伝達状態（クラッチＯＮ状態）、或いは、スプール軸６からピニオン２２が外れたスプールフリー回転状態（クラッチＯＦＦ状態）に切り換えることができる。なお、クラッチＯＦＦ状態からクラッチＯＮ状態への復帰は、前記クラッチ操作部材の操作以外にも、ハンドル１０ａの巻取操作によっても行なえるようになっている。
【００１５】
前記駆動歯車２１には、魚釣時にスプール６ａから釣糸が繰り出された際、スプール６ａにドラグ力を付与するドラグ機構２５が係合している。このドラグ機構２５は、摩擦板やライニング材等を備えており、ハンドル軸１０に取り付けられたドラグ操作部材２７を回転操作することによって、駆動歯車２１に所定の押圧力で押さえ付けられ、この押圧力がハンドル軸１０と一体回転するラチェット２８に作用することによって、ハンドル軸１０と駆動歯車２１との間に所定のドラグ力が発生するようになっている。
【００１６】
前記左右フレーム２ａ，２ｂの間には、釣糸案内部３０及び往復動機構３１を有するレベルワインド装置が設けられており、ハンドル１０ａを回転操作することによって、スプール６ａには、釣糸案内部３０を介して釣糸が均等に巻回されるようになっている。なお、本実施の形態のレベルワインド装置は、釣糸案内部３０および往復動機構３１がスプール６ａの前後に振り分けて配設されているが、これらはスプール６ａの前方に配設されていても良い。
【００１７】
上記したように構成される魚釣用両軸受型リールのスプール６ａ（スプール軸６）の一端側には、釣糸繰出時におけるスプール６ａの過回転を防止するようにバックラッシュ防止機構４０が設けられている。
【００１８】
本実施の形態のバックラッシュ防止機構は、スプール６ａ（スプール軸６）と一体回転する環状の導電体４１と、リール本体（右フレーム２ｂ）に設けられ、環状の導電体４１が挿入した際、これに磁力を作用さることによってスプール６ａの回転を制動する磁石４２と、スプール６ａの回転速度の増減に応じてスプール軸に沿って移動可能で、かつ磁石４２が導電体４１に作用する磁力を増減させることでスプール６ａの回転速度を制御するスプール回転速度制御手段４５とを備えている。そして、この回転速度制御手段４５は、後述する切換え機構６０によって、スプールの軸方向へ移動可能な状態（スプール６ａの回転速度の増減に応じて導電体４１に作用する磁力を増減可能な状態）と、移動できない状態（導電体４１に常時磁力を作用させる状態）とに選択的に切換え可能となっている。
【００１９】
以下、上記したバックラッシュ防止機構４０について説明する。
図２乃至図４は、図１に示す魚釣用両軸受型リールに設けられているバックラッシュ防止機構を示す図である。
【００２０】
上記スプール回転速度制御手段４５は、スプール軸６と一体回転すると共に、軸方向に沿って移動可能な支持体４６を備えている。支持体４６はカラー状に形成されており、その端面部に形成された凹所の底部に付勢バネ４７が係合して常時スプール側に付勢されている。また、支持体４６には、所定間隔をおいて径方向に突出する支持部４６ａが形成されており、この支持部の先端側に前記環状の導電体４１が固定されている。また、各支持部４６ａには、径方向に移動可能となるように遠心移動部材４８が支持されており、スプール軸６（支持体４６）がスプール６ａと共に回転した際、その遠心力によって径方向外側に移動するようになっている。
【００２１】
前記スプール６ａの釣糸巻回面の裏面側には、右フレーム２ｂ側に向けて次第に拡径するテーパ６ｂが形成されており、前記遠心移動部材４８が径方向外側に移動した際、その外面がテーパ６ｂに面接触するようになっている。すなわち、スプール軸６（スプール６ａ）の回転速度が向上すると、遠心移動部材４８は、その遠心力に従って径方向に移動し、かつテーパ６ｂに沿って右フレーム２ｂ側に移動するようになる。
【００２２】
前記磁石４２は、環状の導電体４１が挿脱できるように、所定の間隔をおいて一対の環状の磁性体４２ａ，４２ｂを備えており、各磁性体は、Ｓ極とＮ極の磁石が交互に配置された構成となっている。なお、外側の磁性体４２ａは、右側板３ｂから露出するダイヤル４２ｃ（図１参照）を回転操作することにより、所定範囲回動するようになっており、所定間隔内に挿入される環状の導電体４１に作用する制動力を調整できるように構成されている。
【００２３】
また、前記導電体４１は、スプール軸６が釣糸放出方向に回転していないとき、図２に示すように、磁性体４２ａ，４２ｂ間に挿入しないように位置合わせされている。
【００３０】
図５至図７は、魚釣用両軸受型リールの一実施形態を示す図であり、そのような魚釣用両軸受型リールに組み込まれるバックラッシュ防止機構を示している。なお、以下のバックラッシュ機構の説明では、図２乃至図４に示したバックラッシュ防止機構と異なる部分について説明することとし、同一の構成部分については、同一符号を付してその説明を省略する。
【００３１】
この実施の形態のバックラッシュ防止機構の回転速度制御手段４５´は、スプール軸６と一体回転すると共に、軸方向に沿って移動可能な支持体５６を備えている。支持体５６はカラー状に形成されており、付勢バネ４７によって常時スプール側に付勢されている。支持体５６には、所定間隔をおいて径方向に突出する支持部５６ａが形成されており、この支持部の先端側に環状の導電体４１が固定されている。また、各支持部５６ａには、径方向に移動可能となるように遠心移動部材４８が支持されており、スプール軸６（支持体５６）がスプール６ａと共に回転した際、その遠心力によって径方向外側に移動するようになっている。
【００３２】
また、前記導電体４１の先端外周には、先細となるテーパ４１ａが形成されており、制動力の調節範囲が広くなるように構成している。すなわち、このようなテーパ４１ａを形成しておくことで、特に、スプール低速回転のショートキャステト（ピッチング）時に効果的に制動力を作用させることが可能となる。
【００３３】
次に、回転速度制御手段４５´を、スプールの軸方向に移動可能にしておく状態と、移動不能にしておく状態とを選択的に切換える切換え機構６０´の構成について説明する。
【００３４】
切換え機構６０´は、支持体５６のスプール側端面から右フレーム２ｂ側に向けて軸方向に沿って形成された長溝５６ｂと、この長溝５６ｂに隣接して形成された短溝５６ｃを具備しており、各溝には、選択的にスプール軸６に突出形成されたピン６ｇが係合するようになっている。
【００３５】
具体的には、ピン６ｇが長溝５６ｂに係合していると、図５及び図６に示すように、支持体５６（導電体４１）は、スプール６ａの回転速度の増減に応じて付勢バネ４７の付勢力に抗して軸方向に移動可能な状態となる。また、リール本体から右側板を外し、スプール６ａを取出して支持体５６を付勢バネ４７の付勢力に抗して移動しながら回動し、ピン６ｇを短溝５６ｃに係合させることで支持体５６の軸方向への移動が規制される。そして、この規制位置では、図７に示すように、導電体４１は、常時一対の環状の磁性体４２ａ，４２ｂの間隔内に位置した状態にある。
【００３６】
このように、本実施の形態の切換え機構６０´によれば、回転速度制御手段４５´の移動状態と、移動不能状態との切換えは、支持体５６を回動操作するだけで良いため操作性が向上する。
【００４６】
以上、本発明の実施の形態について説明したが、本発明は、導電体をスプールの回転速度に応じてスプール軸方向に移動させる回転速度制御手段を、導電体が常時、磁性体内に位置して制動力付与状態に保持されるように切換え可能であれば、その切換え機構の構成については種々変形することが可能である。また、図１に示した魚釣用両軸受型リールは一例を示したに過ぎず、各種の構成部材については、図１に示すものに限定されることはない。
【００４７】
【発明の効果】
本発明によれば、釣り場の状況や、使用者の要求に応じて、最適なスプール回転速度制御設定が行なえるバックラッシュ防止機構を有する魚釣用両軸受型リールが提供される。
【図面の簡単な説明】
【図１】本発明の一実施形態に係る魚釣用両軸受型リールの全体の一構成例を示す図。
【図２】図１に示す魚釣用両軸受型リールに組み込まれるバックラッシュ防止機構を示す図であり、制動力が作用していない状態を示す図。
【図３】図２に示すバックラッシュ防止機構において、制動力が作用している状態を示す図。
【図４】図２に示すバックラッシュ防止機構において、回転速度制動手段がロックされた状態を示す図。
【図５】本発明の一実施形態に係る魚釣用両軸受型リールに組み込まれ屡バックラッシュ防止機構を示す図であり、制動力が作用していない状態を示す図。
【図６】図５に示すバックラッシュ防止機構において、制動力が作用している状態を示す図。
【図７】図５に示すバックラッシュ防止機構において、回転速度制動手段がロックされた状態を示す図。
【符号の説明】
３ａ，３ｂ  左右側板
４  リール本体
６  スプール軸
６ａ  スプール
４１  導電体
４５，４５′  回転速度制御手段
６０，６０′  切換え機構
【図１】
0003610276.tif 000002
【図２】
0003610276.tif 000003
【図３】
0003610276.tif 000004
【図４】
0003610276.tif 000005
【図５】
0003610276.tif 000006
【図６】
0003610276.tif 000007
【図７】
0003610276.tif 000008